(57)【特許請求の範囲】
【請求項１】
マイクロニードルアレイを皮膚に押付ける際に用いられるマイクロニードル用アプリケータであって、
筒状のケースと、先側が該ケースの基側内部に挿通され、基側が前記ケースの基側から突出して、該ケースの軸方向に摺動可能に保持されたトリガー部材と、基側が前記ケースの先側内部に挿通され、先側が前記ケースの先側から突出して、該ケースの軸方向に摺動可能に保持されたノッカーピンと、前記ケースの内部で前記トリガー部材と前記ノッカーピンとの間に収容され、前記ケースの軸方向に摺動可能なハンマー部材と、前記トリガー部材の先側と前記ハンマー部材の基側との間に配置された第１のコイルバネと、前記ハンマー部材の先側と前記ノッカーピンの基側との間に配置された第２のコイルバネとを有し、前記ノッカーピンの先端部に装着される前記マイクロニードルアレイ又は前記皮膚の表面に予め載置される前記マイクロニードルアレイを前記皮膚に押付けることを特徴とするマイクロニードル用アプリケータ。
【請求項２】
請求項１記載のマイクロニードル用アプリケータにおいて、前記トリガー部材は、先側が開口し、前記第１のコイルバネが収容される筒状部を有し、前記ハンマー部材は、前記第１のコイルバネの先側に内挿される基側軸部と、該基側軸部の先側で該ハンマー部材の先側に向かって拡径したテーパ部と、該テーパ部の先側に形成された胴部と、該胴部の先側で前記第２のコイルバネに内挿される先側軸部とを有することを特徴とするマイクロニードル用アプリケータ。
【請求項３】
請求項２記載のマイクロニードル用アプリケータにおいて、前記ケースの内部に、前記ハンマー部材の先側と前記ノッカーピンの基側との間を仕切る仕切り部が設けられ、該仕切り部の中央部に、前記先側軸部が進退可能に挿通される貫通孔が形成されていることを特徴とするマイクロニードル用アプリケータ。
【請求項４】
請求項３記載のマイクロニードル用アプリケータにおいて、前記ハンマー部材の軸心は、初期状態で前記ケースの軸心に対して傾斜しており、使用時に、前記トリガー部材が、前記ケースの先側に向かって移動し、前記第１のコイルバネを介して前記ハンマー部材を押圧した際に、該ハンマー部材の前記先側軸部の先側端部が、前記貫通孔の基側周縁で前記仕切り部に係合して前記第１のコイルバネが圧縮され、さらに前記トリガー部材が前記ケースの先側に移動し、前記筒状部の先側の開口周縁が前記ハンマー部材の前記テーパ部に係合して、該ハンマー部材の軸心が前記ケースの軸心と一致することにより、前記第１のコイルバネが伸張すると共に、前記胴部と前記仕切り部との間で前記第２のコイルバネが圧縮され、前記先側軸部が、前記貫通孔に進入して前記ノッカーピンに打撃を加えることを特徴とするマイクロニードル用アプリケータ。
【請求項５】
請求項４記載のマイクロニードル用アプリケータにおいて、前記ハンマー部材は、前記胴部の長手方向の途中で二分割されていることを特徴とするマイクロニードル用アプリケータ。
【請求項６】
請求項４又は５記載のマイクロニードル用アプリケータにおいて、前記ハンマー部材は、前記先側軸部の基側外周で前記第２のコイルバネの基側端部に当接するバネ受面を有し、該バネ受面は、該ハンマー部材の軸方向と直交する面に対して傾斜していることを特徴とするマイクロニードル用アプリケータ。
【請求項７】
請求項４〜６のいずれか１記載のマイクロニードル用アプリケータにおいて、前記ケースは、前記仕切り部の先側に形成されたノッカーピン保持部を有し、前記ノッカーピンは、前記ノッカーピン保持部に摺動可能に保持される基端部と、該基端部の先側に該基端部の外径より小径に形成され、先側が前記ケースの先側から突出する軸部とを有することを特徴とするマイクロニードル用アプリケータ。
【請求項８】
請求項７記載のマイクロニードル用アプリケータにおいて、前記ノッカーピンの前記軸部の先端部には、前記マイクロニードルアレイが装着されるアダプタ部材が着脱可能に取付けられることを特徴とするマイクロニードル用アプリケータ。
【発明の詳細な説明】
【技術分野】
【０００１】
本発明は、医療目的又は美容目的で、従来使用されている注射器の代わりに、マイクロニードルアレイを使用して体内への投薬を行う際に用いられるマイクロニードル用アプリケータに関する。
【背景技術】
【０００２】
今後、少子高齢化が進むにつれ、医療の果たす役割は増大し、病院及び医師等の不足を招くものと考えられる。
医療行為には、外科的治療の他に投薬治療があり、投薬治療の中では、注射器による体内投薬が大きな比率を占める。この注射器による投薬は、通常、医師や看護師のような有資格者が病院で施行するが、糖尿病に対するインシュリン投与のように、中には患者自身が在宅で施行することを認められているものもある。
そこで、医師の処方に基づいて在宅で投薬を行う在宅投薬を普及させることができれば、患者の通院頻度が低くなり、医師及び患者（特に老齢者や勤労者）の負担を軽減することができるため、このような在宅投薬への関心が高まっている。特に、病院不足や医師不足の問題を抱える過疎地では、在宅投薬に対するニーズは大きい。【０００３】
しかし、注射器による投薬には、皮下や血管に直接投薬できるという長所がある一方で、痛みを伴い、投薬回数の増加と共に皮膚が傷付いたり、腫れたりするという欠点がある。
そこで、注射器の代わりに、先端が尖ったマイクロニードル（微小針）を平板上に複数有する樹脂製のマイクロニードルアレイを使用することが考えられている。このマイクロニードルアレイの特徴は、マイクロニードルが、皮下の無痛点の深さに到達可能な長さを有することにより、無痛で投薬を行うことができ、また、パッチ式に表皮に貼り当てるだけで患者自身が手軽に投薬できる点にあり、患者の負担を大幅に軽減することができる。そして、このようなマイクロニードルアレイは、医療目的だけでなく、美容目的でも使用が期待される。
以上のことから、マイクロニードルアレイの普及を目的として、マイクロニードルアレイを皮膚に押し付ける際に用いられるアプリケータが検討されている（例えば、特許文献１、２）。
【先行技術文献】
【特許文献】
【０００４】
【特許文献１】特開２０１８−１９１７０２号公報
【特許文献２】特開２０１８−１０２６８０号公報
【発明の概要】
【発明が解決しようとする課題】
【０００５】
しかしながら、特許文献１のアプリケータは、筒状のハウジングの側部に設けられたボタン機構をハウジングの半径方向（ハウジングの軸方向と直交方向）に押圧することにより、ハウジングの内部に保持されたプランジャーのロック状態を解除し、プランジャーを弾性部材で付勢してハウジングの軸方向に摺動させ、プランジャーの先端に取付けた押圧部材で粘着テープとマイクロニードルアレイを押圧して、皮膚に押付けるという複雑な動作を行うものである。このため、部品点数が多く、構造も複雑で、各部を初期状態（使用可能状態）に復帰させて、粘着テープ及びマイクロニードルアレイをそれぞれテープカットリッジ及びアレイカットリッジに取付けるにも手間がかかり、作業性に欠けるという問題がある。また、アプリケータ本体に対し、テープカットリッジ及びアレイカットリッジを着脱して使用するため、これらを紛失するおそれがあり、取扱い性に欠けるという問題もある。特許文献２のアプリケータは、作動ボタンを押し下げることにより、ピストンを周方向に回転させてピストンの係止状態（ロック）を解除し、さらにピストンをコイルばねによって付勢して軸方向に摺動させ、ピストンの先端（下端）に取付けたマイクロニードルデバイス（マイクロニードルアレイ）を皮膚に衝突させるという複雑な動作を行うものである。このため、部品点数が多く、各部品の形状及び全体構造も複雑で、動作の安定性及び作業性に欠けるという問題がある。
本発明はかかる事情に鑑みてなされたもので、簡素な構造で部品点数が少なく、動作の安定性に優れ、故障も発生し難く、マイクロニードルによる穿刺を簡単かつ確実に行うことができる実用性及び機能性に優れたマイクロニードル用アプリケータを提供することを目的とする。
【課題を解決するための手段】
【０００６】
前記目的に沿う本発明に係るマイクロニードル用アプリケータは、マイクロニードルアレイを皮膚に押付ける際に用いられるマイクロニードル用アプリケータであって、
筒状のケースと、先側が該ケースの基側内部に挿通され、基側が前記ケースの基側から突出して、該ケースの軸方向に摺動可能に保持されたトリガー部材と、基側が前記ケースの先側内部に挿通され、先側が前記ケースの先側から突出して、該ケースの軸方向に摺動可能に保持されたノッカーピンと、前記ケースの内部で前記トリガー部材と前記ノッカーピンとの間に収容され、前記ケースの軸方向に摺動可能なハンマー部材と、前記トリガー部材の先側と前記ハンマー部材の基側との間に配置された第１のコイルバネと、前記ハンマー部材の先側と前記ノッカーピンの基側との間に配置された第２のコイルバネとを有し、前記ノッカーピンの先端部に装着される前記マイクロニードルアレイ又は前記皮膚の表面に予め載置される前記マイクロニードルアレイを前記皮膚に押付ける。【０００７】
本発明に係るマイクロニードル用アプリケータにおいて、前記トリガー部材は、先側が開口し、前記第１のコイルバネが収容される筒状部を有し、前記ハンマー部材は、前記第１のコイルバネの先側に内挿される基側軸部と、該基側軸部の先側で該ハンマー部材の先側に向かって拡径したテーパ部と、該テーパ部の先側に形成された胴部と、該胴部の先側で前記第２のコイルバネに内挿される先側軸部とを有することができる。【０００８】
本発明に係るマイクロニードル用アプリケータにおいて、前記ケースの内部に、前記ハンマー部材の先側と前記ノッカーピンの基側との間を仕切る仕切り部が設けられ、該仕切り部の中央部に、前記先側軸部が進退可能に挿通される貫通孔が形成されていることが好ましい。【０００９】
本発明に係るマイクロニードル用アプリケータにおいて、前記ハンマー部材の軸心は、初期状態で前記ケースの軸心に対して傾斜しており、使用時に、前記トリガー部材が、前記ケースの先側に向かって移動し、前記第１のコイルバネを介して前記ハンマー部材を押圧した際に、該ハンマー部材の前記先側軸部の先側端部が、前記貫通孔の基側周縁で前記仕切り部に係合して前記第１のコイルバネが圧縮され、さらに前記トリガー部材が前記ケースの先側に移動し、前記筒状部の先側の開口周縁が前記ハンマー部材の前記テーパ部に係合して、該ハンマー部材の軸心が前記ケースの軸心と一致することにより、前記第１のコイルバネが伸張すると共に、前記胴部と前記仕切り部との間で前記第２のコイルバネが圧縮され、前記先側軸部が、前記貫通孔に進入して前記ノッカーピンに打撃を加えることができる。【００１０】
本発明に係るマイクロニードル用アプリケータにおいて、前記ハンマー部材は、前記胴部の長手方向の途中で二分割されていることが好ましい。【００１１】
本発明に係るマイクロニードル用アプリケータにおいて、前記ハンマー部材は、前記先側軸部の基側外周で前記第２のコイルバネの基側端部に当接するバネ受面を有し、該バネ受面は、該ハンマー部材の軸方向と直交する面に対して傾斜していることが好ましい。【００１２】
本発明に係るマイクロニードル用アプリケータにおいて、前記ケースは、前記仕切り部の先側に形成されたノッカーピン保持部を有し、前記ノッカーピンは、前記ノッカーピン保持部に摺動可能に保持される基端部と、該基端部の先側に該基端部の外径より小径に形成され、先側が前記ケースの先側から突出する軸部とを有するものでもよい。【００１３】
本発明に係るマイクロニードル用アプリケータにおいて、前記ノッカーピンの前記軸部の先端部には、前記マイクロニードルアレイが装着されるアダプタ部材が着脱可能に取付けられてもよい。
【発明の効果】
【００１４】
本発明に係るマイクロニードル用アプリケータは、トリガー部材を押して第１、第２のコイルバネを圧縮することにより、ノッカーピンの先端部に装着されたマイクロニードルアレイ又は皮膚の表面に予め載置されたマイクロニードルアレイをノッカーピンで押圧して所定の力で皮膚に押付け、マイクロニードルによる穿刺や薬剤注入を行うので、簡素な構成で動作の安定性に優れると共に、第１のコイルバネと第２のコイルバネのバネ定数の組合せ（バランス）により、トリガー部材を押す力と穿刺速度（穿刺深さ）を容易に調整することができる。また、使用後は、圧縮された第２のコイルバネが伸張（復元）することにより、ハンマー部材及びトリガー部材がケースの基側に押し戻され、自動的に初期状態に復帰して、次の使用に備えることができる。【００１５】
トリガー部材が、先側が開口し、第１のコイルバネが収容される筒状部を有し、ハンマー部材が、第１のコイルバネの先側に内挿される基側軸部と、基側軸部の先側でハンマー部材の先側に向かって拡径したテーパ部と、テーパ部の先側に形成された胴部と、胴部の先側で第２のコイルバネに内挿される先側軸部とを有する場合、トリガー部材とハンマー部材との間及びハンマー部材とノッカーピンとの間で、第１のコイルバネ及び第２のコイルバネをそれぞれ確実に圧縮して、トリガー部材からの押圧力をノッカーピンに伝達することができる。【００１６】
ケースの内部に、ハンマー部材の先側とノッカーピンの基側との間を仕切る仕切り部が設けられ、仕切り部の中央部に、先側軸部が進退可能に挿通される貫通孔が形成されている場合、貫通孔で先側軸部を案内してハンマー部材（先側軸部）の先端を確実にノッカーピンの基側に押し当てることができ、動作の安定性に優れる。【００１７】
ハンマー部材の軸心が、初期状態でケースの軸心に対して傾斜しており、使用時に、トリガー部材が、ケースの先側に向かって移動し、第１のコイルバネを介してハンマー部材を押圧した際に、ハンマー部材の先側軸部の先側端部が、貫通孔の基側周縁で仕切り部に係合して第１のコイルバネが圧縮され、さらにトリガー部材がケースの先側に移動し、筒状部の先側の開口周縁がハンマー部材のテーパ部に係合して、ハンマー部材の軸心がケースの軸心と一致することにより、第１のコイルバネが伸張すると共に、胴部と仕切り部との間で第２のコイルバネが圧縮され、先側軸部が、貫通孔に進入してノッカーピンに打撃を加える場合、一旦、第１のコイルバネに蓄えた弾性エネルギーを瞬時にハンマー部材を介してノッカーピンに伝達し、ノッカーピンをケースの先側に向かって移動させて、マイクロニードルアレイを所定の力と速度で皮膚に押付けることができ、無痛で投薬を行うことができる。【００１８】
ハンマー部材が、胴部の長手方向の途中で二分割されている場合、先側軸部を含むハンマー部材の先側が、先側軸部の軸心回りに回転することができ、貫通孔の基側周縁で仕切り部に係合する先側端部の位置が随時移動（変化）するので、先側端部の特定位置が摩耗することを防止して、ハンマー部材の耐久性及び動作の安定性を向上させることができる。【００１９】
ハンマー部材が、先側軸部の基側外周で第２のコイルバネの基側端部に当接するバネ受面を有し、バネ受面が、ハンマー部材の軸方向と直交する面に対して傾斜している場合、第２のコイルバネで支持されるハンマー部材が自動的（強制的）に傾くので、マイクロニードル用アプリケータを初期状態に戻すために特別な作業を行う必要がなく、作業性に優れる。【００２０】
ケースが、仕切り部の先側に形成されたノッカーピン保持部を有し、ノッカーピンが、ノッカーピン保持部に摺動可能に保持される基端部と、基端部の先側に基端部の外径より小径に形成され、先側がケースの先側から突出する軸部とを有する場合、軸部をケースの先側から突出させた状態で、ノッカーピンの先端部に装着されるマイクロニードルアレイを目視で確認しながら皮膚に対する位置合せを行うことができる。【００２１】
ノッカーピンの軸部の先端部に、マイクロニードルアレイが装着されるアダプタ部材が着脱可能に取付けられている場合、アダプタ部材を交換するだけで、様々な種類（形態）のマイクロニードルアレイに対応することができ、汎用性に優れる。
【図面の簡単な説明】
【００２２】
【図１】本発明の一実施例に係るマイクロニードル用アプリケータの構成を示す正断面図である。
【図２】（Ａ）〜（Ｃ）は同マイクロニードル用アプリケータの動作を示す説明図である。
【発明を実施するための形態】
【００２３】
続いて、添付した図面を参照して本発明を具体化した実施例について説明する。
図１及び図２（Ａ）〜（Ｃ）に示す本発明の一実施例に係るマイクロニードル用アプリケータ１０は、マイクロニードルアレイ１１を皮膚１２に押付けて体内への投薬を行う際に用いられるものである。
マイクロニードル用アプリケータ１０は、筒状（ここでは円筒状）のケース１４を有している。そして、マイクロニードル用アプリケータ１０は、先側がケース１４の基側内部に挿通され、基側がケース１４の基側から突出して、ケース１４の軸方向に摺動可能に保持されたトリガー部材１５を有する。また、マイクロニードル用アプリケータ１０は、基側がケース１４の先側内部に挿通され、先側がケース１４の先側から突出して、ケース１４の軸方向に摺動可能に保持され、先端部にマイクロニードルアレイ１１が着脱可能に装着されるノッカーピン１６を有する。さらに、マイクロニードル用アプリケータ１０は、ケース１４の内部でトリガー部材１５とノッカーピン１６との間に収容され、ケース１４の軸方向に摺動可能なハンマー部材１７を有しており、トリガー部材１５の先側とハンマー部材１７の基側との間には第１のコイルバネ１８が配置され、ハンマー部材１７の先側とノッカーピン１６の基側との間には第２のコイルバネ１９が配置されている。
【００２４】
トリガー部材１５は、先側が開口した筒状部２０を有しており、この筒状部２０に第１のコイルバネ１８が収容されている。そして、筒状部２０の基側に延設されたトリガー軸２１がケース１４の基側から突出しており、トリガー軸２１の基端には、トリガー軸２１よりも大径の押圧部２１ａが形成されている。
ハンマー部材１７は、第１のコイルバネ１８の先側に内挿される基側軸部２２を有しており、基側軸部２２の先側には、ハンマー部材１７の先側に向かって拡径したテーパ部２３が形成されている。そして、テーパ部２３の先側には円柱状の胴部２４が形成され、さらに胴部２４の先側には、第２のコイルバネ１９に内挿される先側軸部２５が形成されている。
また、ケース１４の内部には、ハンマー部材１７の先側とノッカーピン１６の基側との間を仕切る仕切り部２７が設けられ、仕切り部２７の中央部には、ハンマー部材１７の先側軸部２５が進退可能に挿通される貫通孔２８が形成されている。
【００２５】
ハンマー部材１７は胴部２４で最大径となるが、この胴部２４の外径がケース１４の内径より小さく、基側軸部２２及び先側軸部２５の外径もそれぞれ第１のコイルバネ１８及び第２のコイルバネ１９の内径より小さくなっている。そして、ハンマー部材１７が、先側軸部２５の基側外周で第２のコイルバネ１９の基側端部に当接するバネ受面２９を有し、バネ受面２９が、ハンマー部材１７の軸方向と直交する面に対して傾斜しているので、初期状態では、図１に示すように、第２のコイルバネ１９の基側端部がバネ受面２９に当接し、第２のコイルバネ１９の基側端部で支持されるハンマー部材１７を確実かつ自動的（強制的）に傾斜させる（ハンマー部材１７の軸心をケース１４の軸心に対して傾斜させる）ことができる。なお、必ずしもハンマー部材のバネ受面を傾斜させなくてもよく、必要に応じて、マイクロニードル用アプリケータ１０を振ったり、ケース１４の軸方向を鉛直方向から一旦、傾けて鉛直方向に戻したりして、ハンマー部材の軸心をケースの軸心に対して傾斜させることもできる。
【００２６】
また、ケース１４の仕切り部２７の先側にはノッカーピン保持部３０が形成されており、ノッカーピン１６は、ノッカーピン保持部３０に摺動可能に保持される基端部３１と、基端部３１の先側に基端部３１の外径より小径に形成され、先側がケース１４の先側から突出する軸部３２とを有している。この軸部３２の先端部には、マイクロニードルアレイ１１が装着されるアダプタ部材３４が着脱可能に取付けられており、マイクロニードルアレイの種類（形状）に応じてアダプタ部材を交換することにより、多種多様なマイクロニードルアレイに対応することができる。なお、本実施例では、ホルダー３５を介してアダプタ部材３４にマイクロニードルアレイ１１を装着したが、ホルダーの形状及び構造は適宜、選択することができ、ホルダーを用いずに、アダプタ部材に直接、マイクロニードルアレイを装着することも可能である。
また、ケース１４の基側及び先側の端部には、それぞれ第１、第２のキャップ部材３７、３８が着脱可能に取付けられており、ケース１４から第１、第２のキャップ部材３７、３８を取外すだけで、マイクロニードル用アプリケータ１０を簡単に分解することができ、必要に応じて、第１のコイルバネ１８を交換し、マイクロニードルの穿刺速度（穿刺深さ）を調整することができる。
なお、第１、第２のキャップ部材の形状は、適宜、選択することができる。また、ケースの材質は金属でも合成樹脂でもよいが、ケースを合成樹脂で形成する場合は、ケースを長手方向に沿う切断面で半分割して形成することも可能である。
【００２７】
以上のように構成されたマイクロニードル用アプリケータ１０の使用方法について説明する。
ノッカーピン保持部３０には、ノッカーピン１６の摺動を制約するバネ等がないので、マイクロニードルアレイ１１が下向きとなるようにケース１４を傾けると、ノッカーピン１６がケース１４の先側に移動し、図１のように、マイクロニードルアレイ１１が第２のキャップ部材３８から突出した状態となる。よって、マイクロニードル用アプリケータ１０の使用者は、マイクロニードルアレイ１１を目視で確認しながら皮膚１２の所定の位置に接触させることができる。そして、ケース１４を皮膚１２に向かって移動させると、ノッカーピン１６の基端部３１がノッカーピン保持部３０の内部をケース１４の基側に摺動し、図２（Ａ）のように、マイクロニードルアレイ１１が第２のキャップ部材３８の中に引っ込んで、第２のキャップ部材３８の先端が皮膚１２の表面に当接した状態となる。このとき、ノッカーピン１６は、ほとんど無負荷で摺動するので、使用者が痛みを感じることはない。
【００２８】
使用者が、手の平でケース１４を握った状態で、親指で押圧部２１ａをケース１４の先側に向かって押すと、トリガー部材１５とハンマー部材１７は第１、第２のコイルバネ１８、１９を圧縮しながらケース１４の先側に向かって移動する。このとき、先に説明したように、ハンマー部材１７の軸心がケース１４の軸心に対して傾斜しているため、図２（Ａ）に示すように、ハンマー部材１７の先側軸部２５の先側端部が、貫通孔２８の基側周縁で仕切り部２７に係合し、ハンマー部材１７が停止する。さらに押圧部２１ａを押し続けると、ケース１４の先側に向かって移動するトリガー部材１５と、停止したハンマー部材１７との間で第１のコイルバネ１８が圧縮される。そして、移動を続けるトリガー部材１５の筒状部２０の先側の開口周縁がハンマー部材１７のテーパ部２３に係合すると、図２（Ｂ）に示すように、ハンマー部材１７の姿勢が矯正されて、ハンマー部材１７の軸心がケース１４の軸心と一致する。これにより、ハンマー部材１７の先側軸部２５が、貫通孔２８に進入可能となり、図２（Ｃ）に示すように、第１のコイルバネ１８が伸張してハンマー部材１７をケース１４の先側に移動させると共に、胴部２４と仕切り部２７との間で第２のコイルバネ１９を圧縮する。そして、貫通孔２８に進入したハンマー部材１７の先側軸部２５が、ノッカーピン１６の基端部３１に衝突して打撃を加える。このとき、先側軸部２５が貫通孔２８の先側から突出する突出量が僅かであっても、第１のコイルバネ１８に蓄えられた弾性エネルギーで打撃が加えられたノッカーピン１６は、その勢いによって図２（Ｃ）に示すように基端部３１の先側端面がノッカーピン保持部３０の先端面に当接するまで移動可能であり、皮膚１２を凹ませるようにしてマイクロニードルアレイ１１を皮膚１２に強く押付けることができる。なお、第１のコイルバネ１８に蓄えられた弾性エネルギーを利用してノッカーピン１６を移動させる（ケース１４の先側から突出させる）ことにより、マイクロニードルアレイ１１を皮膚１２に押付けるので、ノッカーピン１６が下向きである必要はなく、様々な姿勢で使用可能であり、横向き又は上向きで使用することもできる。
使用者が押圧部２１ａから親指を離すと、第２のコイルバネ１９が伸張（復元）し、自動的に初期状態（図１参照）に戻るので、ノッカーピン１６の先端部に新たなマイクロニードルアレイ１１を装着して、次の使用に備えることができる。
【００２９】
ハンマー部材については、図１、図２（Ａ）〜（Ｃ）に二点鎖線で示したように、胴部の長手方向の途中で二分割することもできる。その場合、先側軸部を含むハンマー部材の先側が、先側軸部の軸心回りに回転することができ、貫通孔の基側周縁で仕切り部に係合する先側端部の位置が随時移動（変化）するので、先側端部の特定位置が摩耗することを防止して、ハンマー部材の耐久性及び動作の安定性を向上させることができる。
また、本実施例では、マイクロニードルアレイをノッカーピンの先端部（アダプタ部材）に装着して使用する場合について説明したが、マイクロニードルアレイをノッカーピンの先端部（アダプタ部材）に装着して使用する代わりに、皮膚の表面に予め載置してテープ等で固定しておき、ノッカーピンの先端をマイクロニードルアレイに当てて皮膚に押付けることもできる。
【００３０】
以上、本発明の実施例を説明したが、本発明は何ら上記した実施例に記載の構成に限定されるものではなく、請求の範囲に記載されている事項の範囲内で考えられるその他の実施例や変形例も含むものである。
例えば、上記実施例では、ケースを円筒状に形成したが、手の平で握り易いように、適宜、ケースの外表面を湾曲させたり、ケースの外表面に凹凸を形成したりしてもよい。
ケースを第１、第２の分割ケースに半割可能に形成する場合、ケースの基側及び先側の端部を第１、第２のキャップ部材で固定する代わりに、第１、第２の分割ケースに、互いに係合する係合凸部と係合凹部を形成して固定することもできる。また、ケースは、内部にトリガー部材、ノッカーピン、ハンマー部材及び第１、第２のコイルバネを収容して所定の動作を行わせることができればよく、その分割形状及び分割数は適宜、選択することができる。
トリガー部材の押圧部の形状は、適宜、選択することができ、指で押し易いように、基端面を凹ませて（湾曲させて）もよい。さらに、上記実施例では、トリガー部材の筒状部の先側の開口周縁（内周）を、先側に向かって拡径するテーパ状に形成したが、ストレートに形成してもよい。ハンマー部材の形状も、適宜、選択することができる。例えば、上記実施例では、基側軸部とテーパ部の間に円柱部を形成したが、例えば円柱部を省略してもよい。また、上記実施例では、ノッカーピンの軸部にアダプタ部材を螺子止めする構成としたが、アダプタ部材はノッカーピンに対して着脱可能であればよく、固定方法は適宜、選択することができ、例えば両者を嵌合（嵌着）により固定してもよいし、一方に形成した凸部と、他方に形成した凹部を係合させて固定してもよい。
【産業上の利用可能性】
【００３１】
本発明に係るマイクロニードル用アプリケータは、マイクロニードルによる穿刺を簡単かつ確実に行うことができ、医療分野又は美容分野でのマイクロニードルの普及に貢献できる。
【符号の説明】
【００３２】
１０：マイクロニードル用アプリケータ、１１：マイクロニードルアレイ、１２：皮膚、１４：ケース、１５：トリガー部材、１６：ノッカーピン、１７：ハンマー部材、１８：第１のコイルバネ、１９：第２のコイルバネ、２０：筒状部、２１：トリガー軸、２１ａ：押圧部、２２：基側軸部、２３：テーパ部、２４：胴部、２５：先側軸部、２７：仕切り部、２８：貫通孔、２９：バネ受面、３０：ノッカーピン保持部、３１：基端部、３２：軸部、３４：アダプタ部材、３５：ホルダー、３７：第１のキャップ部材、３８：第２のキャップ部材
【要約】
筒状のケース１４と、先側がケース１４の基側内部で軸方向に摺動可能に保持され、基側がケース１４の基側から突出したトリガー部材１５と、基側がケース１４の先側内部で軸方向に摺動可能に保持され、先側がケース１４の先側から突出したノッカーピン１６と、ケース１４の内部でトリガー部材１５とノッカーピン１６との間に収容され、ケース１４の軸方向に摺動可能なハンマー部材１７と、トリガー部材１５とハンマー部材１７の間に配置された第１のコイルバネ１８と、ハンマー部材１７とノッカーピン１６の間に配置された第２のコイルバネ１９とを有する。【図１】
0006734501.tif 000002
【図２】
0006734501.tif 000003